(57)【特許請求の範囲】
【請求項１】
ネギシーズニングオイル及び／又はコンブエキスからなることを特徴とするネズミの誘引、喫食向上剤。
【請求項２】
ネズミ用ベイト剤に請求項１記載のネズミの誘引、喫食向上剤を添加してなることを特徴とするネズミ用ベイト剤。
【請求項３】
請求項１記載のネズミの誘引、喫食向上剤又は請求項２記載のネズミ用ベイト剤をセットしたことを特徴とするネズミ用トラップ。
【発明の詳細な説明】
【０００１】
【発明の属する技術分野】
本発明は、ネズミを誘引し且つネズミの喫食を向上させる、ネズミの誘引、喫食向上剤、及びそれを用いたネズミ用ベイト剤、ネズミ用トラップに関する。
【０００２】
【従来の技術】
ネズミの駆除においては、使用されるベイト剤に対するネズミの喫食が良いかどうかが、ネズミの駆除効果に大きな影響を及ぼす。ところがある程度の量の殺鼠成分を含有すると、ネズミのベイト剤に対する喫食量が低下することがあり、逆に喫食量を増やすために殺鼠成分の含有量を減らすと殺鼠力が不十分となるという問題があった。
【０００３】
そのため従来より十分量の殺鼠成分を含有させておき、ネズミが食べることができる様々な物質をベイト剤に含有させてきた。このような物質としては、植物性（穀類、芋類、種子類等）粉末や、動物性（煮干、チーズ等）粉末、また砂糖などの甘味類、等が知られている。
【０００４】
【発明が解決しようとする課題】
ところが従来知られている物質では、ネズミを致死させるのに必要な量の殺鼠成分を喫食させるには十分な誘引、喫食効果を発揮できず、そのためネズミを効果的に駆除できてはいない。
【０００５】
そこで本発明は、ネズミに対して優れた誘引、喫食効果を発揮することができる物質を見出し、ベイト剤に用いることができ、さらにはトラップにセットして用いることができるものを提供することを目的とするものである。
【０００６】
【課題を解決するための手段】
本発明者らは、上記課題を解決するために鋭意検討した結果、調味成分であるシーズニグオイルと、ネズミが好まないと言われている海藻類が驚くべきことに、ネズミに対する誘引、喫食効果を高めることを発見し本発明に至った。すなわち本発明は、以下の手段により達成されるものである。
（１）ネギシーズニングオイル及び／又はコンブエキスからなることを特徴とするネズミの誘引、喫食向上剤。
（２）ネズミ用ベイト剤に（１）記載のネズミの誘引、喫食向上剤を添加してなることを特徴とするネズミ用ベイト剤。
（３）（１）記載のネズミの誘引、喫食向上剤又は（２）記載のネズミ用ベイト剤をセットしたことを特徴とするネズミ用トラップ。
【０００７】
【発明の実施の形態】
本発明の誘引、喫食向上剤であるシーズニングオイルとは、香味油または調味油等の調味成分であって、油脂を用いて様々な天然素材を加熱して香りを油脂に移行させた油状物質である。天然素材としては、オニオン、ネギ、ガーリック、ニラ、モヤシ、メンマ等の香味野菜；ポーク、チキン、ビーフ等の畜肉；エビ、カニ、カツオ、カキ、イカ等の魚介；ガーリック、ジンジャー等のスパイス；醤油、ウースターオイル、食酢、砂糖、味噌等の調味料、等が挙げられる。
【０００８】
また油脂としては、チキンオイル、精製ラード、牛脂、豚骨油等の動物油脂；米油、大豆油、綿実油、胡麻油、パーム油等の植物油脂；バター、マーガリン等の食用精製加工油脂、等が挙げられる。
また海藻類としては、ワカメ、コンブ、ノリ、モズク等が挙げられ、これらの抽出エキス、パウダー等でもよい。
【０００９】
上記の本発明の誘引、喫食向上剤の中では、ラードと植物油を用いて、ネギ類(ナガネギ、ネブカ、ヒトモジ等で例示されるネギ、タマネギ、にんにく等) を加熱したものからなるシーズニングオイル（以下、ネギシーズニングオイルとも言う）、コンブエキスが誘引、喫食効果が高く好ましい。さらにネギシーズニングオイルは、他の食餌成分と併用したときに相乗的に誘引、喫食効果を高めるという特異な効果をも奏するものである。
【００１０】
本発明の誘引、喫食向上剤は、ネズミ用ベイト剤に練り込み（配合）したり、ふりかけたりして添加して用いることができる。さらにネズミ用トラップにセット（塗布したり、含浸したりして）して使用してもよい。
ネズミ用ベイト剤に練り込んだ場合は、ベイト剤全量に対して通常０．１〜７０重量％、さらには１〜５０重量％配合すればよい。またベイト剤にふりかける場合は、表面に均一となるようにするのがよく、通常０．０１〜５０重量％、さらには０．１〜３０重量％となるように用いればよい。
【００１１】
ネズミ用ベイト剤とするには、公知のベイト剤の基材、食餌成分等を用いて製剤とすればよい。このような物質としては、例えば、玄米、白米、小麦、トウモロコシ、コメ、そば、大豆等の穀物粉末；ジャガイモ、サツマイモ等の芋類粉末；、これらのデンプン粉等が挙げられる。この他にも魚粉類；落花生、トウモロコシ、クルミ等の種子や木の実等の粒類；ショ糖、ブドウ糖、果糖、乳糖、黒砂糖、赤砂糖、三温糖等の糖類；油揚、サツマ揚、ソーセージ、パン、バナナ、リンゴ等の食餌成分、等が挙げられる。
【００１２】
ネズミ用ベイト剤は、顆粒状、ブロック状、細粒状、ペースト状、ゲル状、ビスケット状、ダンゴ状、等の形態にすることできる。そして必要に応じてコーン油、米ヌカ油、大豆油、オリーブ油、綿実油等の植物油；魚油、豚油、牛油等の動物油；水、グリセリン等の液体を添加してもよい。
【００１３】
さらにチーズ香料、バター香料、ピーナッツ香料、ピーチ香料、ストロベリー香料、ミルク香料等の甘味香料；エリソルビン酸、エリソルビン酸ナトリウム、ジブチルヒドロキシトルエン、ｄｌ−α−トコフェロール、ノルジヒドログアヤレチック酸、メチルヒドロキシアニソール、没食子酸プロピル、グアヤク脂、Ｌ−システィン塩酸塩等の安定化剤；安息香酸、安息香酸ナトリウム、サリチル酸、ジフェニル、ソルビン酸、ソルビン酸カリウム、デヒドロ酢酸、デヒドロ酢酸ナトリウム、パラオキシ安息香酸イソブチル、パラオキシ安息香酸イソプロピル、プロピオン酸カルシウム、プロピオン酸ナトリウム等の保存剤；トウガラシ末、アマランス、アマランスアルミニウムレーキ、エリスロシン、エリスロシンアルミニウムレーキ、ニューコクシン、フロキシン、ローズベンガル、アシドレッド、タートラジン、タートラジンアルミニウムレーキ、サンセットイエローＦＣＦ、サンセットイエローＦＣＦアルミニウムレーキ、ファストグリーンＦＣＦ、ファストグリーンＦＣＦアルミニウムレーキ、ブリリアントブルーＦＣＦ、ブリリアントブルーＦＣＦアルミニウムレーキ、インジゴカルミン、インジゴカルミンアルミニウムレーキ、β−カロチン、銅クロロフィル等の誤食防止剤を添加してもよい。
【００１４】
上記のように製剤とした本発明のネズミベイト剤は、誘引剤としてネズミ用トラップ（粘着トラップ、捕獲トラップ等）にセット（併置したり、トラップ内に置いたり）したり、殺鼠成分を添加した殺鼠ベイト剤としたりすることができる。
殺鼠ベイト剤とするために用いる殺鼠成分としては、ワルファリン、フマリン、クマテトラリル等のクマリン系化合物、ダイファシノン、クロロファシノン等のインダンジオン系化合物が挙げられる。
【００１５】
本発明のネズミの誘引、喫食向上剤、及び該誘引、喫食向上剤を添加したネズミ用ベイト剤は、ドブネズミ、クマネズミ、ハツカネズミ、ハタネズミ等のネズミに対して有効である。
【００１６】
【実施例】
以下、実施例により本発明を具体的に説明する。ただし、本発明はこれらの実施例のみに限定されるものではない。
【００１７】
（誘引、喫食試験）
Ｉ．ふりかけ使用
１）試験方法
グラニュー糖１０．２ｇ、小麦粉２５．６ｇ、コーンスターチ６４．１ｇ及びジブチルヒドロキシトルエン０．１ｇからなる顆粒を製造し、表１に記載の各供試物質を小麦粉に対して１重量％添加したパウダーを、該顆粒の全量に対して１０重量％となるようにふりかけ試験検体とした。そして被験ネズミの活動が活発になる前の夕方に、各検体と顆粒を各４０ｇずつゲージに入れ、翌日喫食量を比較すると共に、ゲージ内での被験ネズミの状態を観察して誘引効果を評価した。
試験は各検体について３回行い、３回とも顆粒に対して優位に喫食量が多かったものをについて誘引、喫食効果があるものと判断した。
【００１８】
２）試験結果
試験の結果、シーズニングオイルとコンブエキスパウダーをふりかけた検体が顆粒と比して顕著な誘引、喫食効果を奏することが明らかとなった。詳細は表１に示した。表中の誘引、喫食比率は、顆粒の喫食量を１としたときの比率である。
【００１９】
【表１】
表１ 誘引、喫食効果                      
供試物質               誘引、喫食比率
ネギシーズニングオイル          １．７
コンブエキスパウダー            ２．５
カツオブシオイル                ０．３
卵黄パウダー                    ０．１
オキアミパウダー                ０．２
砂糖                            ０．４
蜂蜜                            ０．１
ローストオニオンオイル          ０．３
ミートオイル                    ０．２
バターオイル                    ０．３
ポークオイル                    ０．５
ピーナッツペースト              ０．４
なし  （顆粒のみ） １    
【００２０】
ＩＩ．練り込み使用
１）試験方法
上記と同様の顆粒に、効果に優れたネギシーズニングオイルとコンブエキスパウダーを該顆粒の全量に対して３重量％となるように練り込んで試験検体を製造し、上記と同様の方法で誘引、喫食効果を確認した。
２）試験結果
ネギシーズニングオイルとコンブエキスパウダーは、練り込み使用した場合には、いずれも顆粒の３倍以上の誘引、喫食効果が確認された。
【００２１】
（シーズニングオイルの添加試験）
１）試験方法
上記と同様に、食餌成分（サツマイモパウダーまたはチーズパウダー）とネギシーズニングオイルを該顆粒の全量に対して３重量％となるように練り込んで、試験検体を製造し、各検体を重量比で１：１となるように混ぜて、上記と同様の方法で誘引、喫食効果を確認した。
２）試験結果
試験の結果、ネギシーズニングオイルを併用することで、食餌成分に対するネズミの喫食量は相乗的に増大することが明らかとなった。サツマイモパウダーでは２倍以上、チーズパウダーでは４倍以上に誘引、喫食効果を高めることが明らかとなった。
【００２２】
【発明の効果】
本発明のネズミの誘引、喫食向上剤は、ネズミに対して優れた誘引効果及び喫食効果を同時に発揮するので、トラップにセットしたり、殺鼠成分と共にベイト剤に添加して用いることでベイト剤に十分な殺鼠力を与え、効果的にネズミを駆除することができる。